(57)【要約】【課題】釣銭機がＰＯＳ端末から切離されている間に生ずる商品取引で発生する売上を、人が容易に知り得るようにする。【解決手段】各種データを記憶する記憶部と、情報を報知する報知部と、釣銭機と接続されて当該釣銭機との通信を実行する通信部と、一取引終了毎に前記通信部を介して前記釣銭機から取得した当該釣銭機の現実の在高を前記記憶部に記憶する手段と、前記釣銭機との通信が遮断された場合に、当該障害発生時に当該記憶部に記憶されている前記現実の在高を基礎として、当該釣銭機との通信が遮断されている間に生ずる商品取引での売上から理論的な現金の在高である理論在高を算出して前記記憶部に記憶する手段と、前記釣銭機の障害が復旧して当該釣銭機との通信が再開された場合に、前記理論在高を前記報知部より報知する手段と、を備える。【選択図】図８
2011216127.tif 000002
【特許請求の範囲】
【請求項１】
各種データを記憶する記憶部と、
情報を報知する報知部と、
釣銭機と接続されて当該釣銭機との通信を実行する通信部と、
一取引終了毎に前記通信部を介して前記釣銭機から取得した当該釣銭機の現実の在高を前記記憶部に記憶する手段と、
前記釣銭機との通信が遮断された場合に、当該障害発生時に当該記憶部に記憶されている前記現実の在高を基礎として、当該釣銭機との通信が遮断されている間に生ずる商品取引での売上から理論的な現金の在高である理論在高を算出して前記記憶部に記憶する手段と、
前記釣銭機の障害が復旧して当該釣銭機との通信が再開された場合に、前記理論在高を前記報知部より報知する手段と、
を備えるＰＯＳ端末。
【請求項２】
前記報知部は、前記釣銭機の障害が復旧して当該釣銭機との通信が再開された場合に、前記記憶部に記憶された前記釣銭機の前記現実の在高を報知する、
請求項１記載のＰＯＳ端末。
【請求項３】
前記報知部は、レシートプリンタである、
請求項１又は２記載のＰＯＳ端末。
【請求項４】
前記報知部は、ディスプレイである、
請求項１又は２記載のＰＯＳ端末。
【発明の詳細な説明】
【技術分野】
【０００１】
本発明の実施形態は、ＰＯＳ端末に関する。
【背景技術】
【０００２】
従来、スーパーマーケットやコンビニエンスストア等においては、ＰＯＳ管理サーバやＰＯＳ端末（商品販売データ処理装置）などを備えるＰＯＳシステムが使用されている。近年では、ＰＯＳ端末に釣銭機を接続し、釣銭機によって貨幣を収納することがある。特許文献１は、その一例である。釣銭機には、ＰＯＳ端末からの指令に応じて金銭を払出す機能のみならず、収納されている貨幣の在高を計数して記憶する機能をも備えているものがある。
【発明の概要】
【発明が解決しようとする課題】
【０００３】
前述したような従来のＰＯＳシステムにおいて釣銭機に障害が発生した場合、釣銭機が復旧するまでの間、ＰＯＳ端末は釣銭機を切離した状態で商品取引における売上処理を進めることとなる。この間に発生した売上は、釣銭機の代わりに、ＰＯＳ端末に備え付けられたドロワや手持ち金庫等を使用して収納される。
【０００４】
このように、ＰＯＳ端末から釣銭機を切離してからも売上が発生しているため、釣銭機に収納されているべき理論上の在高は変化する。よって、ＰＯＳ端末が実行した売上処理に基づいて釣銭機で正確に貨幣管理を行うためには、釣銭機がＰＯＳ端末から切離されている間に発生した売上分の金額を、復旧後の釣銭機に対して正確に投入し、釣銭機内の実際の在高を理論上の在高と一致させる必要がある。
【０００５】
しかし、従来のＰＯＳ端末では、キャッシャ等が商品取引の際に逐次売上を記録しなければ、釣銭機がＰＯＳ端末から切離されている間に発生した売上を知ることはできない。
【課題を解決するための手段】
【０００６】
実施形態のＰＯＳ端末は、各種データを記憶する記憶部と、情報を報知する報知部と、釣銭機と接続されて当該釣銭機との通信を実行する通信部と、一取引終了毎に前記通信部を介して前記釣銭機から取得した当該釣銭機の現実の在高を前記記憶部に記憶する手段と、前記釣銭機との通信が遮断された場合に、当該障害発生時に当該記憶部に記憶されている前記現実の在高を基礎として、当該釣銭機との通信が遮断されている間に生ずる商品取引での売上から理論的な現金の在高である理論在高を算出して前記記憶部に記憶する手段と、前記釣銭機の障害が復旧して当該釣銭機との通信が再開された場合に、前記理論在高を前記報知部より報知する手段と、を備える。
【図面の簡単な説明】
【０００７】
【図１】図１は、実施形態にかかるＰＯＳシステムの全体構成を示す概略ブロック図である。
【図２】図２は、ＰＯＳ端末および釣銭機の外観を示す斜視図である。
【図３】図３は、ＰＯＳ端末および釣銭機のハードウェア構成を示すブロック図である。
【図４】図４は、釣銭機管理データのデータ構造を示す模式図である。
【図５】図５は、在高取得処理の流れを示すフローチャートである。
【図６】図６は、切離し時管理データのデータ構造を示す模式図である。
【図７】図７は、報知処理の流れを示すフローチャートである。
【図８】図８は、レシートの態様の在高レポートの一例を示す模式図である。
【図９】図９は、画像の態様の在高レポートの一例を示す模式図である。
【発明を実施するための形態】
【０００８】
［ＰＯＳシステムの全体構成］
図１は、実施形態にかかるＰＯＳシステム１０１の全体構成を示す概略ブロック図である。ＰＯＳシステム１０１は、複数のＰＯＳ端末１０２が通信回路１０３を介して上位機としてのＰＯＳ管理サーバ１０４とデータ通信自在に接続されて構成されている。ＰＯＳ端末１０２にはそれぞれ、釣銭機１０５がデータ通信自在に接続されている。
【０００９】
釣銭機１０５は、ＰＯＳ端末１０２からの指令に応じて商品販売時に顧客からの預り金の入金や顧客に返却する釣銭の出金等を行う。また、釣銭機１０５は、自己の在高を計数して記憶保持し、管理する。ＰＯＳ管理サーバ１０４は、システムの上位機として店舗のバックヤード等に設置されてＰＯＳシステム１０１の全体を制御する。ＰＯＳ管理サーバ１０４は、ＰＬＵデータを記憶保存しており、ＰＯＳ端末１０２から取得される商品販売データに基づいて集計処理等の各種統計処理を行うことが可能である。
【００１０】
［ＰＯＳ端末および釣銭機の外観構成］
図２は、ＰＯＳ端末１０２および釣銭機１０５の外観を示す斜視図である。ＰＯＳ端末１０２は、釣銭機１０５とデータ通信自在に接続された状態で、釣銭機１０５の上に載置されている。
【００１１】
ＰＯＳ端末１０２は、奥側から手前側に向かって高さが低くなるように上面が傾斜している筐体形状のハウジング１０６を有している。ハウジング１０６の上面右側には、キーボード１０７が配置されており、キーボード１０７の奥側には、キャッシャ用ディスプレイ１０８が手前側に情報表示面を向けた状態で立設されている。キャッシャ用ディスプレイ１０８には、タッチパネル１０９が積層されている。キャッシャ用ディスプレイ１０８のさらに奥側のハウジング１０６の上面略中央部には、客用ディスプレイ１１０が奥側に情報表示面を向けた状態で立設されている。ハウジング１０６の上面左側には、レシートプリンタ１１１が設けられている。ハウジング１０６の背面には外部機器インターフェイス１１２（図３参照）が設けられており、この外部機器インターフェイス１１２にはバーコードスキャナ１１３が接続されている。
【００１２】
釣銭機１０５は、筐体形状のハウジング１１４を有しており、その前方部分はＰＯＳ端末１０２のハウジング１０６の下方部分より手前側に向けて延出している。ハウジング１１４の前方右側には、紙幣挿入口１１５と紙幣排出口１１６とが並んで設けられている。ハウジング１１４の前方略中央部には、硬貨投入口１１７が上方に開口した状態で設けられている。ハウジング１１４の前方左側には、硬貨排出口１１８が下方に開口した状態で設けられている。この硬貨排出口１１８の下方には、硬貨排出口１１８から排出された硬貨を受ける硬貨受け皿１１９が設けられている。さらに、硬貨排出口１１８の奥側のハウジング１１４の上面には、操作部１２０が設けられている。この操作部１２０は、液晶パネル１２１（図３参照）にタッチパネル１２２（図３参照）が積層されて構成されている。
【００１３】
ＰＯＳ端末１０２のハウジング１０６の背面には釣銭機通信インターフェイス１２３が設けられており、釣銭機１０５のハウジング１１４の背面にはＰＯＳ端末通信インターフェイス１２９が設けられている（図３参照）。釣銭機通信インターフェイス１２３とＰＯＳ端末通信インターフェイス１２９とはケーブル１４０（図３参照）を介して接続されており、ＰＯＳ端末１０２と釣銭機１０５とはケーブル１４０を介してデータ通信自在となっている。釣銭機通信インターフェイス１２３およびＰＯＳ端末通信インターフェイス１２９としては、ＵＳＢ等の活線挿抜を可能とする既存の各種通信インターフェイスを使用することが好ましい。
【００１４】
［ＰＯＳ端末および釣銭機のハードウェア構成］
図３は、ＰＯＳ端末１０２および釣銭機１０５のハードウェア構成を示すブロック図である。ＰＯＳ端末１０２は、各種演算処理を実行して各部を集中的に制御するＣＰＵ１２４を備えている。ＣＰＵ１２４には、固定データを固定的に記憶保存するＲＯＭ１２５と、可変データを書き換え自在に記憶するＲＡＭ１２６と、ＨＤＤ１２７とがバスライン１２８を介して接続されている。ＲＯＭ１２５には各種コンピュータプログラムが格納されており、ＣＰＵ１２４はこのコンピュータプログラムに従って各種処理を実行する。ＲＡＭ１２６は、バッテリバックアップされている。ＣＰＵ１２４にはさらに、釣銭機通信インターフェイス１２３、通信インターフェイス１３０、キーボード制御部１３１、キャッシャ用ディスプレイ制御部１３２、タッチパネル制御部１３３、客用ディスプレイ制御部１３４、レシートプリンタ制御部１３５および外部機器インターフェイス１１２がバスライン１２８を介して接続されている。釣銭機通信インターフェイス１２３には、ケーブル１４０を介して釣銭機１０５が接続されている。通信インターフェイス１３０には通信回線１０３が接続され、その先にはＰＯＳ管理サーバ１０４がデータ通信自在に接続されている（図１参照）。また、キーボード制御部１３１にはキーボード１０７が、キャッシャ用ディスプレイ制御部１３２にはキャッシャ用ディスプレイ１０８が、タッチパネル制御部１３３にはタッチパネル１０９が、客用ディスプレイ制御部１３４には客用ディスプレイ１１０が、レシートプリンタ制御部１３５にはレシートプリンタ１１１が、外部機器インターフェイス１１２にはバーコードスキャナ１１３が、それぞれ接続されている。
【００１５】
釣銭機１０５は、釣銭機１０５の各部を集中的に制御するＣＰＵ１３６を備えている。ＣＰＵ１３６には、固定データを固定的に記憶保存するＲＯＭ１３７と、可変データを書き換え自在に記憶するＲＡＭ１３８とがバスライン１３９を介して接続されている。ＲＯＭ１３７には各種コンピュータプログラムが格納されており、ＣＰＵ１３６はこのコンピュータプログラムに従って各種処理を実行する。ＲＡＭ１３８は、バッテリバックアップされている。ＣＰＵ１３６にはさらに、ＰＯＳ端末通信インターフェイス１２９、液晶パネル制御部１４１、タッチパネル制御部１４２、モータ制御部１４３、貨幣カウンタ１４４および投入センサ制御部１４５が、バスライン１３９を介して接続されている。ＰＯＳ端末通信インターフェイス１２９には、ケーブル１４０を介してＰＯＳ端末１０２が接続されている。また、液晶パネル制御部１４１には液晶パネル１２１が、タッチパネル制御部１４２にはタッチパネル１２２が、モータ制御部１４３にはモータ１４６が、貨幣カウンタ１４４には貨幣収納部１４７が、投入センサ制御部１４５には投入センサ１４８が、それぞれ接続されている。
【００１６】
貨幣収納部１４７は、金種別に貨幣を収納可能な構造であり、紙幣収納部（図示せず）と硬貨収納部（図示せず）とから構成されている。紙幣収納部は、紙幣挿入口１１５（図２参照）から紙幣排出口１１６（図２参照）まで紙幣を案内する経路（図示せず）の途中に設けられている。硬貨収納部は、硬貨投入口１１７（図２参照）から硬貨排出口１１８（図２参照）まで硬貨を案内する経路（図示せず）の途中に設けられている。これらの経路は、例えばモータ１４６より駆動されるベルト（図示せず）によって形成される。貨幣カウンタ１４４は、貨幣収納部１４７に収納されている貨幣の金種別の枚数を計数する。投入センサ１４８は、紙幣挿入口１１５（図２参照）と硬貨投入口１１７（図２参照）とに設けられて投入された貨幣の有無を検出する。投入センサ１４８としては、既存の各種センサを用いることができる。
【００１７】
ＰＯＳ端末１０２は、商品取引における売上処理として、キーボード１０７やバーコードスキャナ１１３から入力される商品コードに基づいてＰＯＳ管理サーバ１０４が記憶しているＰＬＵデータから商品価格等の情報を取得して売上を算出し、商品取引毎に算出した売上を釣銭機１０５に送信する処理を実行する。さらに、ＰＯＳ端末１０２は、商品取引毎に算出した売上をＨＤＤ１２７に売上データとして記憶する処理を実行する。
【００１８】
釣銭機１０５は、商品取引毎にＰＯＳ端末１０２から送信される売上に基づいて、投入された貨幣より釣銭金額を算出して貨幣収納部１４７より釣銭を払出す処理を実行する。さらに、釣銭機１０５は、貨幣の投入および貨幣の払出しの処理の終了毎に、貨幣収納部１４７に実際に収納されている貨幣の金種別の在高を貨幣カウンタ１４４により計数して収納されている貨幣の金種別の在高である金種別在高とその総額である実際在高とを算出し、釣銭機管理データ１４９（図４参照）を作成してＲＡＭ１３８に記憶する処理を実行する。
【００１９】
図４は、釣銭機管理データ１４９のデータ構造を示す模式図である。釣銭機管理データ１４９は、操作日付１５０、操作時刻１５１、金種別在高１５２および実際在高１５３から構成される。操作時刻１５１は、貨幣の投入および貨幣の払出しの処理が終了した時点での時刻である。金種別在高１５２は、操作時刻１５１において貨幣収納部１４７に収納されている貨幣の金種別在高である。実際在高１５３は、操作時刻１５１において貨幣収納部１４７に収納されている貨幣の実際在高である。
【００２０】
以上に述べたような構成のＰＯＳ端末１０２と釣銭機１０５とを備えるＰＯＳシステム１０１は、在高取得処理、理論在高算出処理および報知処理を実行する。これらの処理を、以下に説明する。
【００２１】
［在高取得処理］
図５は、在高取得処理の流れを示すフローチャートである。在高取得処理とは、ＰＯＳ端末１０２と釣銭機１０５とが接続されている場合に、ＰＯＳ端末１０２が、商品取引終了毎に釣銭機１０５が記憶している金種別在高１５２（図４参照）と実際在高１５３（図４参照）とを取得する処理である。まず、ＰＯＳ端末１０２は、在高取得処理を開始すると、ケーブル１４０を介して釣銭機１０５に在高要求命令を送信し（ＳＴ１ａ）、釣銭機１０５から送信される金種別在高１５２と実際在高１５３とを受信するまで待機している（ＳＴ１ｂ）。釣銭機１０５は、起動している間はＰＯＳ端末１０２から送信される在高要求命令を受け付けている（ＳＴ１ｃ）。釣銭機１０５が在高要求命令を受信した場合（ＳＴ１ｃのＹ）、ＲＡＭ１３８に記憶されている金種別在高１５２と実際在高１５３とをＰＯＳ端末１０２へ送信する（ＳＴ１ｄ）。ＰＯＳ端末１０２は、釣銭機１０５から送信される金種別在高１５２と実際在高１５３とを受信すると（ＳＴ１ｂのＹ）、取得した金種別在高１５２と実際在高１５３とをＲＡＭ１２６に記憶する処理を実行し（ＳＴ１ｅ）、在高取得処理を終了する。
【００２２】
［理論在高算出処理］
釣銭機１０５に障害が発生した場合、ケーブル１４０が釣銭機通信インターフェイス１２３又はＰＯＳ端末通信インターフェイス１２９より外されて、ＰＯＳ端末１０２と釣銭機１０５との接続が切離された状態で釣銭機１０５の復旧作業が進められる。理論在高算出処理は、ＰＯＳ端末１０２と釣銭機１０５との接続が切離されている間に、釣銭機１０５の障害発生時にＲＡＭ１２６に記憶されている実際在高１５３を基礎として、商品取引で発生する売上から理論的な現金の在高である理論在高を算出する処理である。
【００２３】
ＰＯＳ端末１０２は、ＰＯＳ端末１０２と釣銭機１０５との接続が切離されている間、一商品取引終了毎に理論在高算出処理を実行する。理論在高算出処理では、ＰＯＳ端末１０２は、商品取引で発生した売上に基づいて理論在高を算出し、切離し時管理データ１５４（図６参照）を作成してＲＡＭ１２６に記憶する処理を実行する。
【００２４】
図６は、切離し時管理データ１５４のデータ構造を示す模式図である。理論在高の算出方法を、切離し時管理データ１５４のデータ構造とともに説明する。切離し時管理データ１５４は、操作日付１５５、操作時刻１５６、金種別在高１５２、実際在高１５３、売上１５７、理論在高１５８および差額１５９から構成される。操作時刻１５６は、商品取引が実行された時点での時刻である。金種別在高１５２は、障害発生時にＲＡＭ１２６に記憶されている釣銭機１０５の金種別在高である。実際在高１５３は、障害発生時にＲＡＭ１２６に記憶されている釣銭機１０５の実際在高である。売上１５７は、操作時刻１５６に実行された商品取引で発生した売上である。理論在高１５８は、操作時刻１５６に実行された商品取引の終了後に理論在高算出処理によって算出された理論在高である。理論在高１５８は、実際在高１５３を基礎として、この実際在高１５３に商品取引で発生する売上１５７を商品取引毎に足し合わせていくことで算出される。つまり、切離し時管理データ１５４において、ある操作時刻１５６に対応付けられている理論在高１５８は、ＰＯＳ端末１０２と釣銭機１０５との接続が切離されてから操作時刻１５６までに実行された商品取引で発生した売上１５７の総額を実際在高１５３に足し合わせた金額となる。差額１５９は、理論在高１５８から実際在高１５３を差し引いた差額である。
【００２５】
［報知処理］
報知処理は、釣銭機１０５が復旧してＰＯＳ端末１０２と釣銭機１０５との接続が再開された場合に、釣銭機１０５に投入すべき金額を報知する処理である。
【００２６】
図７は、報知処理の流れを示すフローチャートである。ＰＯＳ端末１０２は、ＰＯＳ端末１０２と釣銭機１０５との接続が切離されている間、釣銭機１０５の接続を認識するまで待機している（ＳＴ２ａ）。ＰＯＳ端末１０２は、ケーブル１４０が釣銭機通信インターフェイス１２３とＰＯＳ端末通信インターフェイス１２９との両方に接続されて釣銭機１０５が接続されたことを認識すると（ＳＴ２ａのＹ）、釣銭機１０５に投入すべき金額を在高レポート１６０（図８参照）として出力する処理を実行する（ＳＴ２ｂ）。
【００２７】
［在高レポート］
前述したように、ＰＯＳ端末１０２は、報知処理において、在高レポート１６０（図８参照）を出力する。在高レポート１６０は、ＰＯＳ端末１０２と釣銭機１０５との接続が切離されている間に作成された切離し時管理データ１５４（図６参照）に基づいて作成される。
【００２８】
図８は、在高レポート１６０の一例を示す模式図である。在高レポート１６０は、レシートの態様でレシートプリンタ１１１（図２参照）より出力される。在高レポート１６０の上端部には、操作日付１６１、操作時刻１６２およびレジナンバー１６３が印字されている。その下には、見出し文として、「在高レポート」１６４と印字されている。このような見出し文の下に続いて、「＜レジ現金在高＞」と印字された第１の欄１６５と、「＜釣銭機在高＞」と印字された第２の欄１６６とが順に配置されている。
【００２９】
第１の欄１６５には、レジ在高計（Ａ）１６７が印字されている。レジ在高計（Ａ）１６７として印字されている金額は、ＰＯＳ端末１０２と釣銭機１０５との接続が再開される前に最後に実行された商品取引での売上に基づいて算出された理論在高１５８（図６参照）である。
【００３０】
第２の欄１６６には、金種別の枚数１６８と金種別の金額１６９とが印字されている。金種別の金額１６９として印字されている金額は、釣銭機１０５の障害発生時にＰＯＳ端末１０２のＲＡＭ１２６に記憶されていた金種別在高１５２（図６参照）である。この下に続けて、釣銭機在高計（Ｂ）１７０が印字されている。釣銭機在高計（Ｂ）１７０として印字されている金額は、釣銭機１０５の障害発生時にＰＯＳ端末１０２のＲＡＭ１２６に記憶されていた実際在高１５３（図６参照）であり、釣銭機１０５に障害が発生する前に最後に実行された商品取引の終了後に釣銭機１０５のＲＡＭ１３８に記憶されていた実際在高１５３（図４参照）である。
【００３１】
第２の欄１６６の下には、差異（Ａ−Ｂ）１７１が印字されている。差異（Ａ−Ｂ）１７１として印字されている金額は、レジ在高計（Ａ）１６７から釣銭機在高計（Ｂ）１７０を差し引いた差額であり、差額１５９（図６参照）である。差異（Ａ−Ｂ）１７１の下には続けて、「※差異（Ａ−Ｂ）の金額を釣銭機へ投入して下さい。」と印字されている。また、在高レポート１６０の下端部には、取扱者名１７３と取扱者番号１７４とが印字されている。
【００３２】
［作用］
ＰＯＳ端末１０２は、ケーブル１４０を介して釣銭機１０５とデータ通信自在に接続されている。ＰＯＳ端末１０２と釣銭機１０５とが接続されている場合、ＰＯＳ端末１０２は、商品取引終了毎に在高取得処理を実行して釣銭機１０５が記憶している金種別在高１５２と実際在高１５３とを取得してＲＡＭ１２６に記憶する。釣銭機１０５に障害が発生してＰＯＳ端末１０２から釣銭機１０５が切離された場合、ＰＯＳ端末１０２と釣銭機１０５との接続が切離されている間、ＰＯＳ端末１０２は、釣銭機の障害発生時にＲＡＭ１２６に記憶されている実際在高１５３を基礎として、商品取引終了毎に、商品取引での売上から理論在高１５８を算出し、切離し時管理データ１５４を作成してＲＡＭ１２６に記憶する。釣銭機１０５が復旧してＰＯＳ端末１０２と釣銭機１０５との接続が再開された場合、ＰＯＳ端末１０２は、釣銭機１０５の接続を認識し、理論在高１５８と実際在高１５３との差額１５９を印字した在高レポート１６０をレシートプリンタ１１１より出力する。
【００３３】
在高レポート１６０に印字されているレジ在高計（Ａ）１６７には、ＰＯＳ端末１０２と釣銭機１０５との接続が切離されている間に生じた商品取引で発生した売上が含まれている。一方、釣銭機在高計（Ｂ）１７０には、ＰＯＳ端末１０２と釣銭機１０５との接続が切離されている間に生じた商品取引で発生した売上は含まれていない。よって、レジ在高計（Ａ）１６７と釣銭機在高計（Ｂ）１７０との差額である差異（Ａ−Ｂ）１７１として、ＰＯＳ端末１０２と釣銭機１０５との接続が切離されている間に生じた商品取引で発生した売上であって障害復旧後の釣銭機１０５に投入すべき金額が報知される。
【００３４】
以上に説明したように、本実施の形態のＰＯＳシステム１０１によれば、ＰＯＳ端末１０２と釣銭機１０５との接続が切離されている間に生じる商品取引で発生した売上を報知することができる。
【００３５】
別の実施の形態として、在高レポート１６０をレシートの態様でレシートプリンタ１１１より出力するのではなく、画像の態様でキャッシャ用ディスプレイ１０８より出力してもよい。図９は、在高レポート１６０をキャッシャ用ディスプレイ１０８より出力させた状態を示す模式図である。画像の態様の在高レポート１６０は、キャッシャ用ディスプレイ１０８の中央部に表示されている。画像の態様の在高レポート１６０における表示内容は、レシートの態様の在高レポート１６０（図８参照）における印字内容と共通である。在高レポート１６０を画像として出力することで、ＰＯＳ端末１０２と釣銭機１０５との接続が切離されている間に生じる商品取引で発生した売上を報知することができるとともに、在高レポート１６０を紛失する危惧を解消することができる。
【符号の説明】
【００３６】
１０１  ＰＯＳシステム
１０２  ＰＯＳ端末
１０５  釣銭機
１４９  釣銭機管理データ
１５４  切離し時管理データ
１６０  在高レポート
【先行技術文献】
【特許文献】
【００３７】
【特許文献１】特開２００５−２２２１９２号公報
【図１】
2011216127.tif 000003
【図２】
2011216127.tif 000004
【図３】
2011216127.tif 000005
【図４】
2011216127.tif 000006
【図５】
2011216127.tif 000007
【図６】
2011216127.tif 000008
【図７】
2011216127.tif 000009
【図８】
2011216127.tif 000010
【図９】
2011216127.tif 000011